(57)【特許請求の範囲】
【請求項１】
陰極線管に取付けられた防爆バンドと、該陰極線管ファンネル部に塗布された外装ダックとの間を接続する第１の導電性部品と、上記外装ダックとシールド板金とを導通するための第２の導電性部品を備えたことを特徴とする陰極線管表示装置。
【請求項２】
上記第２の導電性部品が金属バネであることを特徴とする請求項１に記載の陰極線管表示装置。
【請求項３】
上記第２の導電性部品が導電性ゴムであることを特徴とする請求項１に記載の陰極線管表示装置。
【請求項４】
上記第２の導電性部品が導電性接着剤であることを特徴とする請求項１に記載の陰極線管表示装置。
【発明の詳細な説明】
【０００１】
【発明の属する技術分野】
本発明は、ＥＭＩ（電磁的妨害）を効率よく抑制する陰極線管表示装置に関する。
【０００２】
【従来の技術】
図３と図４は従来の陰極線管表示装置の構成を表す図である。図において、１は陰極線管、２は爆縮を防止する陰極線管１の防爆バンド、３は陰極線管の後部が帯電しないように炭素を陰極線管１のファンネル部に塗布した外装ダック、５は防爆バンド２と導電するための金属バネ、６は導電材で構成されたノイズを防止するためのＥＭＳ、７は陰極線管表示装置の意匠であるベゼル、８は映像信号処理を行うビデオ基板、９はビデオ基板８からのノイズをシールドするビデオシールド板金、１０はメイン基板、１１はリード線、１２は上シールド板金、１３は側面シールド板金、１４は下シールド板金、１６は外装ダック３とＥＭＳ６とを導通する金属バネである。
【０００３】
上記構成によって、陰極線管を利用した表示装置の不要輻射電波対策として、映像信号を増幅するビデオアンプを含むＣＲＴ基板の接地電位とメイン基板１０やＣＲＴ基板などの接地電位を同電位にしている。まず、防爆バンド２とＥＭＳ６とを金属バネ５の導電性部品にて押し付けて導通し、外装ダック３とＥＭＳ６を金属バネ１６の導電性部品にて押し付ける事により、導電を行っている。
次に、メイン基板１０は、リード線１１を下シールド板金１４とネジ止めにより接続し、映像信号を増幅するビデオアンプを含むビデオ基板８は、ビデオシールド板金９とネジ止めにより接続している。
以上のように、不要輻射電波対策として、ＥＭＳ６を通して、防爆バンド２及びＣＲＴ外装ダック３の接地を行っている。
【０００４】
図５は、従来の陰極線管表示装置の電流ループを示す陰極線管表示装置の斜視図である。（ａ）は側面図、（ｂ）は上面図である。
図において、垂直偏波の場合は、防爆バンド２の上側、金属バネ５、ＥＭＳ６、上シールド板金１２、ビデオシール板金９、ビデオ基板８、ビデオシールド板金９、下シールド板金１４、ＥＭＳ６、金属バネ５、防爆バンド２下側の経路に電位が動いている。
水平偏波の場合は、防爆バンド２の側面、金属バネ５、ＥＭＳ６、側面シールド板金１３、ビデオシールド板金９、ビデオ基板８、ビデオシールド板金９、側面シールド板金１３、ＥＭＳ６、金属バネ５、防爆バンド２の側面の経路に電位が動いている。
【０００５】
【発明が解決しようとする課題】
上記のような陰極線管表示装置では、防爆バンド２からビデオ基板８までの垂直偏波、水平偏波の両方について、大きなループが発生しノイズ源となっている。
また、防爆バンド２からビデオ基板１０までのループと外装ダック３からビデオ基板８までのループ及び外装ダック３から防爆バンド２までのループ等が複雑に絡み合い、不要輻射電波対策も困難になっている。
【０００６】
この発明は上述のような課題を解決するためになされたもので、電流ループを短くして、効率の良い不要輻射電波対策を行った陰極線管表示装置を得ることを目的とする。
【０００７】
【課題を解決するための手段】
この発明における陰極線管表示装置においては、陰極線管に取付けられた防爆バンドと、該陰極線管ファンネル部に塗布された外装ダックとの間を接続する第１の導電性部品と、上記外装ダックとシールド板金とを導通するための第２の導電性部品を備えた物である。
【０００８】
また、第２の導電性部品が金属バネである物である。
【０００９】
さらに、第２の導電性部品が導電性ゴムであるものである。
【００１０】
また、第２の導電性部品が導電性接着剤であるものである。
【００１１】
【発明の実施の形態】
実施の形態１．
図１は、この発明の実施の形態１を示す陰極線管表示装置を示すもので、図において、１は陰極線管、２は爆縮を防止する陰極線管１の防爆バンド、３は陰極線管の後部が帯電しないよう陰極線管１のファンネル部に炭素を塗布した外装ダック、４は防爆バンド２と外装ダック３とを導通する第１の導電性部品であるアルミテープ、５は防爆バンド２と導電するための第２の導電性部品である金属バネ、７は陰極線管表示装置の意匠であるベゼル、８は映像信号処理を行うビデオ基板、９はビデオ基板８からのノイズをシールドするビデオシールド板金、１０はメイン基板、１１はリード線、１２は上シールド板金、１３は側面シールド板金、１４は下シールド板金である。
【００１２】
このように構成された陰極線管表示装置においては、防爆バンド２と外装ダック３間を導電性部品アルミテープ４で接続し、バネ剛性を持った金属バネ５を、外装ダック３まで延材させた上シールド板金１２、側面シールド板金１３、下シールド板金１４に挟み込んで、外装ダック３と面接触させ、接地電位を広範囲に下げる。
【００１３】
実施の形態２．
図２は、金属バネ５の代わりに用いられる導電性ゴム１５を示した図である。導電性ゴム１５は、外装ダック３まで延在させた上シールド板金１２、側面シールド板金１３、下シールド板金１４に挟み込み、外装ダック３と面接触させ、広範囲で接地電位を下げる。
導電性ゴム１５は金属バネ５に比べて導電率は小さいが、柔軟な構造であるために接触面積を大きくでき金属バネ５と同様の導電効果が得られる。
【００１４】
実施の形態３．
また、実施の形態1と同様な構造で、金属バネ５の代わりに導電性シリコーン接着剤を用いることも可能である。導電性シリコーン接着剤は、外装ダック３まで延在させた上シールド板金１２、側面シールド板金１３、下シールド板金１４に練りこみ、外装ダック３と面接触させ、広範囲で接地電位を下げる。
【発明の効果】
この発明は、以上説明したように構成されているので、以下に示すような効果を奏する。
【００１５】
陰極線管に取付けられた防爆バンドと、該陰極線管ファンネル部に塗布された外装ダックとの間を接続する第１の導電性部品と、上記外装ダックとシールド板金とを導通するための第２の導電性部品を備えたことにより、ＥＭＳが不要で、電磁波のループが少なくなるため、容易に不要輻射電波対策が行える。
【００１６】
また、第２の導電性部品が金属バネであるために広範囲で接地電位を下げられる。
【００１７】
さらに、第２の導電性部品が導電性ゴムであるために接地面積を拡大でき、広範囲で接地電位を下げられる。
【００１８】
また、第２の導電性部品が導電性接着剤であるために接地面積を拡大でき、広範囲で接地電位を下げられる。
【図面の簡単な説明】
【図１】  この発明の実施の形態１を示す陰極線管表示装置の斜視図である。
【図２】  この発明の実施の形態２を示す導電性ゴムの図である。
【図３】  従来の陰極線管表示装置を示す斜視図である。
【図４】  従来の陰極線管表示装置を示す斜視図である。
【図５】  従来の陰極線管表示装置の電流ループを示す陰極線管表示装置の斜視図である。
【符号の説明】
１  陰極線管、  ２  防爆バンド、  ３  外装ダック、  ４  アルミテープ  ５  金属バネ、  ６  ＥＭＳ、  ７  ベゼル、  ８  ビデオ基板、  ９  ビデオシールド板金、  １０  メイン基板、  １１  リード線、  １２  上シールド板金、  １３  側面シールド板金、  １４  下シールド板金、  １５  導電性ゴム、  １６  金属バネ。
【図１】
0004309002.tif 000002
【図２】
0004309002.tif 000003
【図３】
0004309002.tif 000004
【図４】
0004309002.tif 000005
【図５】
0004309002.tif 000006